(57)【要約】【課題】内容物の意図しない流出を抑制しつつ、内容物を簡便に計量して吐出することが可能な計量吐出容器を提案する。【解決手段】本発明に係る計量吐出容器１００は、天壁２２に設けられ収容空間Ｓを計量空間Ｍと連通させる連通孔２４ａを有し、容器本体１０に固定される内キャップ部材２０と、頂壁３７の下面から垂下して連通孔２４ａを閉塞する閉塞部３５と、内容物を外部へと吐出する吐出孔３４ａとを有し、内キャップ部材２０に対して上下方向に相対移動可能に装着される外キャップ部材３０と、吐出孔３４ａを覆う蓋体４０とを備え、連通孔２４ａは、天壁２２から上方に突出する連通筒２４の内側を貫く貫通孔であり、連通筒２４の径方向外側には環状の計量空間Ｍが設けられ、外キャップ部材３０を内キャップ部材２０に対して下方向に相対移動させると、閉塞部３５が連通壁２４に当接して連通孔２４ａを閉塞することを特徴とする。【選択図】図１
2018090268.tif 000002
【特許請求の範囲】
【請求項１】
内容物を収容する収容空間を有する容器本体と、
該容器本体の口部を上方から覆う天壁と、該天壁に設けられ前記収容空間を計量空間と連通させる連通孔とを有し、該容器本体に固定される内キャップ部材と、
該内キャップ部材を径方向外側から覆う外周壁と、該外周壁の上部に連なり前記内キャップ部材を上方から覆う頂壁と、該頂壁の下面から垂下して前記連通孔を閉塞する閉塞部と、該閉塞部の径方向外側における前記頂壁に設けられ前記連通孔を通過した内容物を外部へと吐出する吐出孔とを有し、該内キャップ部材に対して上下方向に相対移動可能に装着される外キャップ部材と、
前記吐出孔を覆う蓋体と
を備える計量吐出容器であって、
前記連通孔は、前記天壁から上方に突出する連通筒の径方向内側を貫く貫通孔として形成され、該連通筒の上端の高さは前記外周壁の上端の高さよりも低く、
前記連通筒の径方向外側には、前記外周壁と該連通筒と前記天壁とによって区画形成された環状の前記計量空間が設けられ、
前記外キャップ部材を前記内キャップ部材に対して下方向に相対移動させると、前記閉塞部が前記連通筒に当接して前記連通孔を閉塞することを特徴とする計量吐出容器。
【請求項２】
前記計量空間の体積は、前記外キャップ部材の内側における前記閉塞部の径方向外側部分の空間の体積よりも小さい、請求項１に記載の計量吐出容器。
【請求項３】
前記外キャップ部材の前記外周壁の径方向内側面は、前記内キャップ部材の前記天壁の外周部から垂下する周壁の径方向外周面とねじ係合しており、前記連通孔が開放される外キャップ部材の周方向位置及び前記連通孔が閉塞される外キャップ部材の周方向位置の少なくともいずれか一方において、前記内キャップ部材から径方向外側方向に突出する爪部が前記外キャップ部材の外周壁の径方向内側面に設けられた凹部に係合する、請求項１又は２に記載の計量吐出容器。
【請求項４】
前記爪部は、前記容器本体の前記口部に設けられている押し出しリブが前記爪部に当接することによって径方向外側に突出する、請求項３に記載の計量吐出容器。 
【発明の詳細な説明】
【技術分野】
【０００１】
本発明は、計量吐出容器に関するものである。
【背景技術】
【０００２】
容器内に収容した液体を簡便に計量するために、スクイズ性を有する容器の上部に、収容した液体を計量注出するための計量室部材を装着した容器が知られている（例えば特許文献１参照）。
【先行技術文献】
【特許文献】
【０００３】
【特許文献１】実開平２−９７２５１号公報
【発明の概要】
【発明が解決しようとする課題】
【０００４】
しかし、特許文献１に記載の液体定量分配器においては、計量時や輸送時等に容器本体の胴部が強く押されたりすると、ヒンジ蓋が開いて内容物が流出する虞があった。
【０００５】
本発明は、このような問題点を解決することを課題とするものであり、その目的は、内容物の意図しない流出を抑制しつつ、内容物を簡便に計量して吐出することが可能な計量吐出容器を提案することである。
【課題を解決するための手段】
【０００６】
本発明は、内容物を収容する収容空間を有する容器本体と、
該容器本体の口部を上方から覆う天壁と、該天壁に設けられ前記収容空間を計量空間と連通させる連通孔とを有し、該容器本体に固定される内キャップ部材と、
該内キャップ部材を径方向外側から覆う外周壁と、該外周壁の上部に連なり前記内キャップ部材を上方から覆う頂壁と、該頂壁の下面から垂下して前記連通孔を閉塞する閉塞部と、該閉塞部の径方向外側における前記頂壁に設けられ前記連通孔を通過した内容物を外部へと吐出する吐出孔とを有し、該内キャップ部材に対して上下方向に相対移動可能に装着される外キャップ部材と、
前記吐出孔を覆う蓋体と
を備える計量吐出容器であって、
前記連通孔は、前記天壁から上方に突出する連通筒の径方向内側を貫く貫通孔として形成され、該連通筒の上端の高さは前記外周壁の上端の高さよりも低く、
前記連通筒の径方向外側には、前記外周壁と該連通筒と前記天壁とによって区画形成された環状の前記計量空間が設けられ、
前記外キャップ部材を前記内キャップ部材に対して下方向に相対移動させると、前記閉塞部が前記連通筒に当接して前記連通孔を閉塞することを特徴とする計量吐出容器である。
【０００７】
また、前記計量空間の体積は、前記外キャップ部材の内側における前記閉塞部の径方向外側部分の空間の体積よりも小さいことが好ましい。
【０００８】
また、前記外キャップ部材の前記外周壁の径方向内側面は、前記内キャップ部材の前記天壁の外周部から垂下する周壁の径方向外周面とねじ係合しており、前記連通孔が開放される外キャップ部材の周方向位置及び前記連通孔が閉塞される外キャップ部材の周方向位置の少なくともいずれか一方において、前記内キャップ部材から径方向外側方向に突出する爪部が前記外キャップ部材の外周壁の径方向内側面に設けられた凹部に係合することが好ましい。
【０００９】
また、前記爪部は、前記容器本体の前記口部に設けられている押し出しリブが前記爪部に当接することによって径方向外側に突出することが好ましい。
【発明の効果】
【００１０】
本発明によれば、内容物の意図しない流出を抑制しつつ、内容物を簡便に計量して吐出することが可能な計量吐出容器を提案することができる。
【図面の簡単な説明】
【００１１】
【図１】本発明の一実施形態に係る計量吐出容器の正面一部断面図である。
【図２】本発明の一実施形態に係る計量吐出容器において、（ａ）は爪部が容器本体により押圧されて径方向外側に突出し、外キャップ部材の凹部に係合している状態を示し、（ｂ）は爪部が容器本体から押圧されていない状態を示し、（ｃ）は、Ｂ−Ｂ断面による爪部の断面図である。
【図３】本発明の一実施形態に係る計量吐出容器において、連通孔及び吐出孔を開放して、内容物を連続吐出させている状態を示す図である。
【図４】本発明の一実施形態に係る計量吐出容器において、内容物の計量のために、容器を傾けて内容物を外キャップ部材側に供給している状態を示す図である。
【図５】本発明の一実施形態に係る計量吐出容器において、所定量の内容物が計量されて計量空間に蓄えられている状態を示す図である。
【図６】図５の状態から連通孔を閉塞し、吐出孔を開放して所定量の内容物を吐出させている状態を示す図である。
【発明を実施するための形態】
【００１２】
以下、図面を参照して、本発明をより具体的に説明する。
【００１３】
図１は、本発明の一実施形態である計量吐出容器１００を示す正面一部断面図である。なお、本願明細書、特許請求の範囲、要約書、及び図面では、後述する蓋体４０が位置する側を上方（図１における上側）とし、容器本体１０の底部が位置する側を下方（図１における下側）とする。また、径方向外側とは、図１における計量吐出容器１００の中心軸線Ｏを通り中心軸線Ｏに垂直な直線に沿って外側に向かう方向であり、径方向内側とは、当該直線に沿って中心軸線Ｏに向かう方向を指すものとする。
【００１４】
計量吐出容器１００は、図１に示すように、内容物を収容する収容空間Ｓを有する容器本体１０と、容器本体１０の口部１１を上方から覆う内キャップ部材２０と、吐出孔３４ａを備え内キャップ部材２０を径方向外側及び上方から覆う外キャップ部材３０と、吐出孔３４ａを覆う蓋体４０とを備えている。
【００１５】
容器本体１０は、図１に示すように、内容物の吐出口となる口部１１と、口部１１の下端に連なる肩部３と、口部１１に肩部３を介して連なる略円筒状の胴部４と、胴部４の下端を閉塞する図示しない底部とを備えたボトル形状に形成されている。口部１１の径方向外側面には、後述する内キャップ部材２０の周壁２１の径方向内側面に形成された係合突起２１ａにアンダーカット係合させるための突部１１ａが設けられている。また、口部１１の上端部における径方向外側面には、後述する内キャップ部材２０を口部１１に装着する際に内キャップ部材２０の周方向位置を位置決めするための位置決めリブ１３が配設されている。更に、口部１１の下端における周方向の１箇所には、後述する内キャップ部材２０の爪部２７を径方向外側方向に押し出すための押し出しリブ１５が設けられている。
【００１６】
容器本体１０は、例えばポリエチレンテレフタレート製のプリフォームを二軸延伸ブロー成形することにより所謂ペットボトルに構成することができる。なお、容器本体１０は、ポリエチレンテレフタレートに限らず、例えば延伸ポリプロピレン（ＯＰＰ）、低密度ポリエチレン（ＬＤＰＥ）又は高密度ポリエチレン樹脂（ＨＤＰＥ）等の熱可塑性を有する他の合成樹脂からなるプリフォームを二軸延伸ブロー成形して形成されたものとすることもできる。特にＬＤＰＥを用いた場合には、容器本体１０に高いスクイズ性を付与することができる。また、容器本体１０の製法についても、プリフォームを二軸延伸ブロー成形する方法のみならず、例えば樹脂材料を押し出しブロー成形するなど、種々の製法を採用することができる。
【００１７】
次に、容器本体１０の口部１１に装着する内キャップ部材２０について説明する。
【００１８】
内キャップ部材２０は、容器本体１０の口部１１を径方向外側から覆う周壁２１と、周壁２１の上端に連なり口部１１を上方から覆う天壁２２と、天壁２２に設けられ収容空間Ｓを計量空間Ｍと連通させる連通孔２４ａとを有している。周壁２１の径方向内側面には、係合突起２１ａが設けられており、口部１１の径方向外側面に設けられている突部１１ａにアンダーカット係合させることにより内キャップ部材２０を容器本体１０に対してしっかりと装着することができる。なお、周壁２１の径方向外側面には、後述する外キャップ部材３０をねじ係合により上下移動可能に固定するための雄ねじ部２１ｂが設けられている。
【００１９】
周壁２１の上端部には、容器本体１０の口部１１を上方から覆う天壁２２が連結されている。天壁２２は、外周側の領域である外側天壁２２ａと内周側の領域である内側天壁２２ｂとを有しており、両者は上下方向に延びる段部２５を介して連結されている。すなわち、周壁２１の上端部から径方向内側方向に延びる外側天壁２２ａは、内周端において上下方向に延びる段部２５の下端と連結し、更に段部２５の上端から径方向内側方向に内側天壁２２ｂが延びている。なお、外側天壁２２ａ及び内側天壁２２ｂは、天壁２２を構成している。
【００２０】
内側天壁２２ｂの中央位置から、連通筒２４が上方に突出して設けられている。連通筒２４は略円筒形状を有しており、連通筒２４の径方向内側を連通孔２４ａが上下に貫いている。そして連通筒２４の径方向内側面には、後述する外キャップ部材３０に設けられた閉塞部３５が嵌合可能に構成されている。この閉塞部３５が連通筒２４に嵌合することによって収容空間Ｓ内の内容物が計量空間Ｍ及び吐出孔３４ａへと向かう流路が絶たれ、連通孔２４ａは閉塞状態となる。
【００２１】
段部２５と周壁２１との間の径方向位置における外側天壁２２ａの上面には、嵌合周壁２３が設けられている。嵌合周壁２３は、図１に示すように段部２５との間に環状溝を形成している。そして、環状溝に後述する外キャップ部材３０の嵌合突壁３２ａを嵌合させることによって外キャップ部材３０の上部外周壁３１ｂと内キャップ部材２０の天壁２２との隙間をシールして、計量空間Ｍの底部を形成している。また、段部２５の下端からシール壁２５ａが垂下しており、シール壁２５ａの径方向外側面が容器本体１０の口部１１の径方向内側面に密着、嵌合することによって口部１１と内キャップ部材２０との隙間をシールしている。
【００２２】
周壁２１の下部における周方向１箇所には、図１に示すように爪部２７が配設されている。爪部２７は、図２（ｂ）に詳細に示すように周壁下端部２１ｃから上方に向かって僅かに径方向内側に傾斜して延びており、その上端において径方向外側方向に突出する爪先部２７ａを有している。また、図２（ｃ）は、図２（ｂ）におけるＢ−Ｂ断面を示しており、爪部２７は周方向１箇所において他の周壁２１とは分断されて設けられており、周壁下端部２１ｃにおいて周壁２１と連結されている。
【００２３】
このような爪部２７を有する内キャップ部材２０を容器本体１０に装着するに際しては、図１に示す周壁２１と外側天壁２２ａとの交差位置における周方向１箇所において、周方向に並んで配設された嵌合リブ２９の間に、上述の容器本体１０側に設けられた位置決めリブ１３を嵌合させつつ内キャップ部材２０を容器本体１０に対してアンダーカット係合させる。これによって、容器本体１０に対して内キャップ部材２０の周方向位置を所定位置へ位置決めすることができる。アンダーカット係合が完了した図１の状態において、容器本体１０側に設けられている押し出しリブ１５と内キャップ部材２０側の爪部２７の周方向位置が重なるように構成されている。これによって、図２（ａ）に示すように押し出しリブ１５が爪部２７を径方向外側方向へと押し出すため、爪部２７は外キャップ部材３０の下側外周壁３１ａの下端部内側面に設けられている凹部３３に係合する。
【００２４】
次に、内キャップ部材２０を径方向外側及び上方から覆う外キャップ部材３０について説明する。
【００２５】
外キャップ部材３０は、内キャップ部材２０を径方向外側から覆う外周壁３１と、外周壁３１の上部に連なり内キャップ部材２０を上方から覆う頂壁３７と、頂壁３７の下面から垂下して連通孔２４ａを閉塞する閉塞部３５と、閉塞部３５の径方向外側における頂壁３７に設けられ連通孔２４ａを通過した内容物を外部へと吐出する吐出孔３４ａとを有し、内キャップ部材２０に対して上下方向に相対移動可能に装着されている。
【００２６】
内キャップ部材２０を径方向外側から覆う外周壁３１は、内キャップ部材２０の周壁２１にねじ係合により固定される下側外周壁３１ａと、下側外周壁３１ａの上端部と段部３２を介して連結され更に上方へと延びる上側外周壁３１ｂとを有している。
【００２７】
下側外周壁３１ａの径方向内側面には雌ねじ部３１ｃが設けられており、内キャップ部材２０の雄ねじ部２１ｂとねじ係合させることができる。これによって、利用者が下側外周壁３１ａの径方向外側面を把持して周方向に回転させることにより、外キャップ部材３０を内キャップ部材２０に対して上下方向に移動させることができる。下側外周壁３１ａの径方向内側面における雌ねじ部３１ｃの下方には、対向する周方向２箇所に凹部３３が配設されている。そして、図１に示す外キャップ部材３０の最下点位置において爪部２７が凹部３３に係合している。この係合によって、図１に示すように閉塞部３５が連通筒２４へ嵌合することによる連通孔２４ａの閉塞状態を維持することができる。
【００２８】
なお、図１に示す外キャップ部材３０の最下点位置において、下側外周壁３１ａの下端部における爪部２７に対応する周方向位置には、Ａ部矢視図に示すように、位置表示マーク３１ｄが設けられている。また、Ａ部矢視図において、この位置表示マーク３１ｄと周壁下端部２１ｃとの上下方向の隙間が殆ど無いことから、利用者は、外キャップ部材３０が最下点位置にある、すなわち連通孔２４ａが閉塞状態にあると認識することができる。
【００２９】
下側外周壁３１ａの上端部には、段部３２を介して更に上方へと延びる上側外周壁３１ｂが連結されている。そして、上側外周壁３１ｂの上端には、内キャップ部材２０を上方から覆う頂壁３７が連結されている。頂壁３７の中央位置には、有底筒状形状を有する閉塞部３５が垂下している。外キャップ部材３０が内キャップ部材２０に対して最下点位置となる図１の状態において、閉塞部３５の外側面３５ａが連通筒２４の径方向内側面に当接することで連通孔２４ａを閉塞している。
【００３０】
頂壁３７における閉塞部３５の径方向外側には、吐出筒３４が上方に突出し、吐出筒３４の径方向内側には内容物を外部へと吐出する吐出孔３４ａが形成されている。吐出孔３４ａは、後述する計量空間Ｍ内に計量済みの内容物が蓄えられている場合には、蓋体４０を開放することによりその内容物を外部に吐出することができる。また、連通孔２４ａが開放されている場合には、容器本体１０の収容空間Ｓ内の内容物を、連通孔２４ａ及び吐出孔３４ａを経由して外部に連続吐出させることができる。
【００３１】
図１に示すように、上側外周壁３１ｂと連通筒２４と天壁２２（内側天壁２２ｂ）によって囲まれる領域は計量空間Ｍを形成している。また、連通筒２４の高さは上側外周壁３１ｂの高さよりも低くなるように形成されている。そのため、後述するように、利用者が連通孔２４ａの開放状態において内容物の計量のために容器本体１０を倒立姿勢へと姿勢変更させた後に正立姿勢に戻すと、外キャップ部材３０の内側に移動した内容物が計量空間Ｍ内に蓄えられ、入り切らなかった内容物が連通筒２４の上端を越えて収容空間Ｓ内へと戻る。
【００３２】
次に、吐出孔３４ａを覆う蓋体４０について説明する。蓋体４０は、外キャップ部材３０の上側外周壁３１ｂと略同径の円筒形状に形成された蓋体周壁４３と、該蓋体周壁４３の上端と連結し吐出孔３４ａを上方から覆う蓋体天壁４１とを有する。蓋体４０は、蓋体周壁４３の周上の１箇所において外キャップ部材３０の上側外周壁３１ｂとヒンジ部３８により連結されている。蓋体天壁４１の下面には、蓋体４０の閉塞時に吐出孔３４ａの径方向内側面に嵌合して内容物の漏出を抑制する突壁４５が形成されている。また、蓋体周壁４３の下端部におけるヒンジ部３８と対向する箇所には、把持部４８が径方向外側方向に突出している。利用者が把持部４８を摘まんで上方に持ち上げることにより吐出孔３４ａを容易に開放状態にすることができる。
【００３３】
上記構成において、容器本体１０の収容空間Ｓ内の内容物を吐出させる手順について説明する。
【００３４】
（連続吐出動作）
まず、収容空間Ｓ内の内容物を連像吐出させる場合について説明する。利用者は、図１に示す状態から容器本体１０の胴部４を片手で把持しつつ、もう一方の手で外キャップ部材３０の下側外周壁３１ａを把持して、爪部２７と凹部３３との係合を解除しつつ上方から見て反時計回りに半周だけ回転させる。外キャップ部材３０は、中心軸線Ｏ周りに回転しながら雄ねじ部２１ｂに沿って上方へと移動し、半周回転した時には、爪部２７は、先ほどまで係合していた凹部３３とは対向する位置に設けられている凹部３３に係合する。そして、図３に示すように閉塞部３５が連通筒２４から離間し、連通孔２４ａは開放状態となる。この半周だけ回転した位置において、図３のＣ部矢視図に示すように、位置表示マーク３１ｄと周壁下端部２１ｃとの間に上下方向の隙間が空いている。利用者は、この隙間によって外キャップ部材３０が最下点位置になく連通孔２４ａが開放状態にあると認識することができる。
【００３５】
連通孔２４ａの開放状態において、利用者は蓋体４０の把持部４８を把持して持ち上げて吐出孔３４ａを開放させた後、容器本体１０を傾斜させていく。すると、図３に示すように、収容空間Ｓ内の内容物は、連通孔２４ａを通過した後、更に吐出孔３４ａを通過して外部へと吐出される。なお、容器本体１０が胴部４をスクイズ可能な容器である場合、利用者が胴部４をスクイズすることにより収容空間Ｓ内の圧力が高まり、内容物を更に勢いよく外部へと吐出することができる。
【００３６】
（計量吐出動作）
次に、収容空間Ｓ内の内容物を所定量だけ計量してから吐出させる場合について説明する。利用者は、まず連続吐出動作の場合と同様に、図１に示す状態から下側外周壁３１ａを上方から見て反時計回りに半周だけ回転させて連通孔２４ａを開放状態にする。次に、利用者は、容器本体１０を図１に示す正立姿勢から図４に示す倒立姿勢になるまで傾ける。容器本体１０が倒立姿勢になると、図４に示すように、収容空間Ｓ内の内容物が、連通孔２４ａを通過し、外キャップ部材３０の内側における閉塞部３５より径方向外側の空間Ｎ内に充填される（図４に空間Ｎの下側境界を破線で示す）。
【００３７】
利用者は、図４に示す外キャップ部材３０の内側に内容物が充填された状態から再び容器本体１０を正立姿勢へと戻す。本実施形態において、外キャップ部材３０の内側における閉塞部３５より径方向外側の空間Ｎの体積は、計量空間Ｍの体積よりも大きくなるように形成されている。従って、図４の倒立姿勢から容器本体１０を正立姿勢へと戻すと、空間Ｎに充填されていた内容物が容器本体１０側に戻る際に計量空間Ｍ内に流入し、図５に示すように計量空間Ｍを所定量の内容物で満たすことができる。なお、閉塞部３５の径方向外側の空間Ｎに充填されていた内容物のうち計量空間Ｍに入り切らなかった内容物は、連通孔２４ａを経由して再び収容空間Ｓ内へと戻る。
【００３８】
図５に示すように、計量空間Ｍが所定量の内容物で満たされると、利用者は、下側外周壁３１ａの径方向外側面を上方から見て時計回りに半周だけ回転させ、外キャップ部材３０を下方向に移動させる。これによって、計量空間Ｍ内に所定の内容物が充填された状態で連通孔２４ａが閉塞される。利用者は、連通孔２４ａを閉塞させた後、図６に示すように吐出孔３４ａを開放させ、容器本体１０を傾斜させて計量空間Ｍ内の内容物を吐出孔３４ａから吐出させる。このとき、連通孔２４ａが閉塞されているので、収容空間Ｓ内の内容物は連通孔２４ａを通過することができない。利用者は、計量空間Ｍにより計量された所定量の内容物のみを一度に又は数回に分けて吐出させることができる。本実施形態では、図に示すように吐出孔３４ａが中心軸線Ｏに対して偏心して配置されている。そのため、図６に示すように吐出孔３４ａがほぼ最下点になるような周方向位置で内容物を吐出させると、計量空間Ｍ内の内容物を余すことなく外部に排出することができる。一方、吐出孔３４ａが例えば中心軸線Ｏと略同一高さになるような周方向位置で内容物を吐出させると、計量空間Ｍ内の内容物を意図的に一部残したまま吐出を終了させることができる。従って、利用者は、容器本体１０を把持する時の吐出孔３４ａの周方向位置を変化させることにより、容易に計量空間Ｍ内の内容物を複数回に分けて吐出させることができる。
【００３９】
なお、本実施形態では、連通孔２４ａ及び閉塞部３５の中心軸線が計量吐出容器１００の中心軸線Ｏと一致するように構成したが、この態様には限定されない。連通孔２４ａ及び閉塞部３５が中心軸線Ｏに対して偏心して配置されるように構成してもよい。
【００４０】
また、本実施形態では、容器本体１０の口部１１に対して内キャップ部材２０がアンダーカット係合するように構成したが、この態様には限定されない。容器本体１０の口部１１に対して内キャップ部材２０がねじ係合等の他の手段によって連結されるようにしてもよい。
【００４１】
また、本実施形態では、内キャップ部材２０に対して外キャップ部材３０がねじ係合することにより上下方向に移動可能に連結されるように構成したが、この態様には限定されない。例えば、外キャップ部材３０が最上点及び最下点のそれぞれにおいて内キャップ部材２０にアンダーカット係合可能に構成してもよい。
【００４２】
また、本実施形態では、蓋体４０をヒンジ部３８により外キャップ部材３０と連結し、ヒンジ部３８を１８０度折り返すことによって蓋体４０を外キャップ部材３０に装着するように構成したが、この態様には限定されない。例えば、蓋体４０を上方から外キャップ部材３０に対してアンダーカット係合させることによって外キャップ部材３０に装着するようにしてもよい。
【００４３】
また、本実施形態では、有底筒状形状の閉塞部３５が連通筒２４の径方向内側面に嵌合することにより連通孔２４ａを閉塞するように構成したが、この態様には限定されない。例えば、閉塞部３５を下方が開放された筒状に形成し、閉塞部３５の径方向内側面が連通筒２４の径方向外側面に嵌合するように構成してもよい。また、連通筒２４及び閉塞部３５の形状は円形状に限定されず、多角形等、他の形状を有していてもよい。
【００４４】
以上述べたように、本実施形態においては、外キャップ部材３０を内キャップ部材２０に対して上下方向に移動させることによって、内容物の収容空間Ｓと計量空間Ｍとを連通させる連通孔２４ａの開放／閉塞を切り替えられるように構成した。これによって、連通孔２４ａ及び吐出孔３４ａの開放状態においては、収容空間Ｓ内の内容物を連通孔２４ａ経由で吐出孔３４ａから連続吐出させることが可能となる。更に、吐出孔３４ａを閉塞させ、連通孔２４ａを開放した状態で容器本体１０を倒立状態とした後、正立状態へと戻すことにより、計量空間Ｍ内を所定量の内容物で満たすことができる。その後、連通孔２４ａを閉塞させ、吐出孔３４ａを開放することにより、計量された内容物を適宜数回に分けて排出することができる。よって、内容物を簡便に計量して吐出することが可能である。特に本実施形態では、吐出孔３４ａが中心軸線Ｏに対して偏心しているため、容器本体１０を把持する際の吐出孔３４ａの周方向位置により、計量された内容物を余すことなく吐出させたり、意図的に一部を残したまま吐出を終了させることができる。従って、計量された内容物を複数回に分けて排出することが容易である。醤油、調味料、ドレッシング等は食事中に内容物を追加する場合もある為、従来はトータルの使用量を把握することが難しかったが、本実施形態は、摂取量を制限して用いたい場合に好適である。
【００４５】
また、本実施形態においては、収納時において、収容空間Ｓと外部とが、連通孔２４ａ及び吐出孔３４ａの２箇所で遮断されるため、内容物と空気との接触を防止して内容物の品質維持を図りつつも、連続吐出操作と計量吐出動作とが可能となる。また、蓋体４０に加えて閉塞部３５により内容物の排出を遮断することができるので、内容物の意図しない流出を抑制することができる。
【００４６】
また、本実施形態においては、計量空間Ｍの体積が、外キャップ部材３０の内側における閉塞部３５の径方向外側部分の空間Ｎの体積よりも小さくなるように構成した。これによって、図４における容器本体１０の倒立姿勢において計量空間Ｍ内に空気が入り込んでしまう場合でも、正立姿勢に戻す過程で空間Ｎ内の内容物が計量空間Ｍ内に入り易くなる。このため、計量空間Ｍ内に容易に内容物を充填することができる。
【００４７】
また、本実施形態においては、外キャップ部材３０の下側外周壁３１ａが内キャップ部材２０の周壁２１とねじ係合しており、連通孔２４ａが開放される外キャップ部材３０の周方向位置及び連通孔２４ａが閉塞される外キャップ部材３０の周方向位置において、内キャップ部材２０から突出する爪部２７が外キャップ部材３０の下側外周壁３１ａに設けられた凹部３３に係合するように構成した。これによって、外キャップ部材３０を内キャップ部材２０に対して回転させることにより容易に連通孔２４ａを開閉することができる。また、爪部２７と凹部３３との係合により連通孔２４ａの開放位置及び閉塞位置を容易に認識することができる。
【００４８】
また、本実施形態においては、容器本体１０の口部１１に設けられている押し出しリブ１５が爪部２７に当接することによって爪部２７を径方向外側に突出させるように構成した。これによって、爪部２７を薄肉部材で形成しても、爪部２７に所定の係合力を付与することができる。
【００４９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【符号の説明】
【００５０】
３        肩部
４        胴部
１０      容器本体
１１      口部
１１ａ    突部
１３      位置決めリブ
１５      押し出しリブ
２０      キャップ部材
２１      周壁
２１ａ    係合突起
２１ｂ    雄ねじ部
２１ｃ    周壁下端部
２２      天壁
２２ａ    外側天壁（天壁）
２２ｂ    内側天壁（天壁）
２３      嵌合周壁
２４      連通筒
２４ａ    連通孔
２５      段部
２５ａ    シール壁
２７      爪部
２７ａ    爪先部
２９      嵌合リブ
３０      外キャップ部材
３１      外周壁
３１ａ    下側外周壁（外周壁）
３１ｂ    上側外周壁（外周壁）
３１ｃ    雌ねじ部
３１ｄ    位置表示マーク
３２      段部
３２ａ    嵌合突壁
３３      凹部
３４      吐出筒
３４ａ    吐出孔
３５      閉塞部
３５ａ    外側面
３７      頂壁
３８      ヒンジ部
４０      蓋体
４１      蓋体天壁
４３      蓋体周壁
４５      突壁
４８      把持部
１００    計量吐出容器
Ｍ        計量空間
Ｎ        空間
Ｏ        中心軸線
Ｓ        収容空間
【図１】
2018090268.tif 000003
【図２】
2018090268.tif 000004
【図３】
2018090268.tif 000005
【図４】
2018090268.tif 000006
【図５】
2018090268.tif 000007
【図６】
2018090268.tif 000008